(57)【要約】【課題】カードの挿脱を阻害することなく放熱を促進する機構を備えたカード用コネクタを提供すること。【解決手段】所定位置に挿入されたカード１２に当接して放熱を促進する放熱部材２３を備えた。その放熱部材をカードに対し可動であるように保持部材２１，２４により保持した。さらに、カードを離脱させるためのイジェクト機構３１，３２と保持部材との間に作用するカム機構２４，３３を備え、カードを所定位置から離脱させる際には、放熱部材がカードから離間された後にカードの離脱が行われるようにした。【選択図】図１
2005116564.tif 000002
【特許請求の範囲】
【請求項１】
所定位置に挿入されたカードに接続するカード用コネクタにおいて、前記カードを離脱させるためのイジェクト機構、前記カードの放熱を促進するための放熱部材、前記放熱部材を前記カードに対し可動であるように保持した保持部材、及び前記イジェクト機構と前記保持部材との間に作用するカム機構を有し、前記カードが前記所定位置に挿入されているときには前記放熱部材が前記カードに当接し、前記カードを前記所定位置から離脱させる際には、前記カム機構の作用により、前記放熱部材が前記カードから離間された後に前記カードの離脱が行われることを特徴とするカード用コネクタ。
【請求項２】
前記放熱部材を前記カードに向けて付勢した付勢手段をさらに含む、請求項1に記載のカード用コネクタ。
【請求項３】
前記放熱部材は前記保持部材に回動可能に保持されている、請求項1に記載のカード用コネクタ。
【請求項４】
前記カム機構は、前記イジェクト機構及び前記保持部材の一方に備えたカム面と、他方に備えられ、前記イジェクト機構の動作に応じて前記カム面に係合するカムフォロワーとを有する、請求項１-３のいずれかに記載のカード用コネクタ。
【請求項５】
前記カム機構は、前記イジェクト機構及び前記保持部材の一方に備えたカム溝と、他方に備えられ、前記イジェクト機構の動作に応じて前記カム溝に沿って移動するカムフォロワーとを有する、請求項１-３のいずれかに記載のカード用コネクタ。
【請求項６】
前記カードの挿脱を案内するカードガイドと、前記カードガイドを固定したベースプレートとをさらに含み、前記保持部材は、前記ベースプレートに回動可能に結合されたアームと、前記アームの回動端に保持されたシャフトとを有し、前記放熱部材は前記シャフトに回動可能に保持されている、請求項１−５のいずれかに記載のカード用コネクタ。
【請求項７】
前記イジェクト機構は、前記カードガイドに沿ってスライド可能なイジェクトバーと、前記イジェクトバーに応動し前記カードの離脱力を伝達するレバーとを有する、請求項６に記載のカード用コネクタ。
【請求項８】
前記所定位置に挿入されたカードに接続されるコネクタ要素をさらに含む、請求項６又は７に記載のカード用コネクタ。
【発明の詳細な説明】
【技術分野】
【０００１】
本発明は、ＰＯＤ（point of deployment）モジュール等において使用されるカード状電子部品（以下、単に「カード」と呼ぶ）の接続に使用されるカード用コネクタに関するものである。
【背景技術】
【０００２】
例えばデジタルケーブルテレビ放送を受信するための機器（以下、「テレビ」と呼ぶ）においてはＰＯＤモジュールが用いられる。そのＰＯＤモジュールは、視聴者の個人データを記録したカードを接続され、そのカードの個人データを参照してテレビ側で受信を承認するか否かを判断するものである。
【０００３】
この種のモジュールは常時通電しているので、温度が６０度程度に上昇することがある。一方、ＰＯＤモジュールに使用されるカードはＩＣなどの半導体素子を含んでいるため、温度の上昇を極力避ける必要がある。一般的なＩＣカードにおける冷却の必要性は、例えば特許文献１にも記載されている。
【特許文献１】特開２００１−２６６０８１号公報
【発明の開示】
【発明が解決しようとする課題】
【０００４】
それ故に本発明の課題は、カードの挿脱を阻害することなく放熱を促進する機構を備えたカード用コネクタを提供することにある。
【課題を解決するための手段】
【０００５】
本発明の一態様によれば、所定位置に挿入されたカードに接続するカード用コネクタにおいて、前記カードを離脱させるためのイジェクト機構、前記カードの放熱を促進するための放熱部材、前記放熱部材を前記カードに対し可動であるように保持した保持部材、及び前記イジェクト機構と前記保持部材との間に作用するカム機構を有し、前記カードが前記所定位置に挿入されているときには前記放熱部材が前記カードに当接し、前記カードを前記所定位置から離脱させる際には、前記カム機構の作用により、前記放熱部材が前記カードから離間された後に前記カードの離脱が行われることを特徴とするカード用コネクタが得られる。
【０００６】
前記放熱部材を前記カードに向けて付勢した付勢手段をさらに含んでもよい。
【０００７】
前記放熱部材は前記保持部材に回動可能に保持されていてもよい。
【０００８】
前記カム機構は、前記イジェクト機構及び前記保持部材の一方に備えたカム面と、他方に備えられ、前記イジェクト機構の動作に応じて前記カム面に係合するカムフォロワーとを有してもよい。
【０００９】
前記カム機構は、前記イジェクト機構及び前記保持部材の一方に備えたカム溝と、他方に備えられ、前記イジェクト機構の動作に応じて前記カム溝に沿って移動するカムフォロワーとを有してもよい。
【００１０】
前記カードの挿脱を案内するカードガイドと、前記カードガイドを固定したベースプレートとをさらに含み、前記保持部材は、前記ベースプレートに回動可能に結合されたアームと、前記アームの回動端に保持されたシャフトとを有し、前記放熱部材は前記シャフトに回動可能に保持されていてもよい。
【００１１】
前記イジェクト機構は、前記カードガイドに沿ってスライド可能なイジェクトバーと、前記イジェクトバーに応動し前記カードの離脱力を伝達するレバーとを有してもよい。
【００１２】
前記所定位置に挿入されたカードに接続されるコネクタ要素をさらに含んでもよい。
【発明の効果】
【００１３】
本発明の一態様によるカード用コネクタは、カードの挿脱を阻害することなく放熱を促進する機能をもつという利点がある。
【発明を実施するための最良の形態】
【００１４】
図１−図７を参照して、本発明の一実施例に係るカード用コネクタについて説明する。
【００１５】
図示のカード用コネクタは、ベースプレート１１の所定位置に挿入されたカード１２に接続するものであり、ベースプレート１１の上面１３に固定されて第１の方向Ａ１においてカード１３の挿脱を案内するカードガイド１４を含んでいる。ベースプレート１１の上面１３には、さらに、第１の方向Ａ１におけるカードガード１４の一端部即ち後端部に対応するようにピンコネクタなどのコネクタ要素１５が固定されている。コネクタ要素１５にはＦＰＣ等のケーブル１６が接続されかつ後方に引き出されている。なお、カード１２は、ＰＯＤモジュール等において使用される、視聴者の個人データを記録したカード状電子部品であり得る。
【００１６】
ベースプレート１１の後端部には、第１の方向Ａ１に直交する第２の方向Ａ２で互いに対向するように側縁から上面１３側に折曲された一対の取付耳１７が形成されている。取付耳１７は、第２の方向Ａ２において互いに対向した貫通孔１８を有している。
【００１７】
図示のカード用コネクタは、さらに、略コ字状のアーム２１と、アーム２１をベースプレート１１に取り付けるための第１のシャフト２２と、放熱部材としてのヒートシンク２３と、ヒートシンク２３をアーム２１に取り付けるための第２のシャフト２４と、付勢手段として働く捩りコイルばねのようなスプリング２５とを含んでいる。アーム２１は、一端部に互いに対向した対の第１の貫通孔２６を有している。
【００１８】
アーム２１の第１の貫通孔２６と取付耳１７の貫通孔１８とスプリング２５の内孔とを位置合わせした状態で、ここに第１のシャフト２２を挿通させる。さらに、スプリング２５の一端をベースプレート１１に、他端をアーム２１に、それぞれ引っ掛ける。こうして、アーム２１を、第１のシャフト２２を支点として回動可能であり、かつ回動端がスプリング２５によりベースプレート１１に向けて付勢された状態で、ベースプレート１１に取付ける。
【００１９】
アーム２１はさらに中間部分に対の第２の貫通孔２７を有している。一方、ヒートシンク２３も、第２の貫通孔２７に対応した貫通孔２８を有している。アーム２１の第２の貫通孔２７とヒートシンク２３の貫通孔２８とを位置合せした状態で、ここに第２のシャフト２４を挿通させる。こうして、ヒートシンク２３は、第２の方向Ａ２にのびた第２のシャフト２４を支点としてアーム２１に回動可能に保持される。アーム２１及び第２のシャフト２４は合せて、ヒートシンク２３をカード１２に対し可動であるように保持した保持部材を構成する。
【００２０】
本実施例では第２のシャフトはピン状のもを用いてヒートシンク２３を回動可能に保持するようにしたが、板状のものを用いて、第２のシャフト自体を弾性変形させてヒートシンクを所定角度の範囲内で回動するように構成してもよい。
【００２１】
アーム２１がその回動端をスプリング２５によりベースプレート１１に向けて付勢されているので、カード１２が所定位置に挿入されているときには、ヒートシンク２３がカード１２の上面に接触し、カード１２の放熱を促進する作用を果たす。なお、ヒートシンク２３は、放熱効果を高めるためにその上面に多数の放熱フィン２９を有している。
【００２２】
図示のカード用コネクタは、さらに、カードガイド１４の第２の方向Ａ２における一側方に配置されたイジェクトバー３１と、カードガイド１４の後部に配置されたレバー３２とを含んでいる。イジェクトバー３１は、カードガイド１４に沿って第１の方向Ａ１にスライド可能であり、上面の一部にカム面３３を形成する突起３４を備えている。レバー３２は、支点３５の周りで回動可能なようにカードガイド１４又はベースプレート１１に取り付けられる。レバー３２の第１の端部３６はイジェクトバー３１の後端に第１の方向Ａ１で係合し、第２の端部３７はカード１２に第１の方向Ａ１で係合するように位置付けられる。イジェクトバー３１とレバー３２は合せて、カードを離脱させるためのイジェクト機構を構成する。
【００２３】
突起３４は、イジェクトバー３１のスライドに応じてカム面３４が第２のシャフト２４に係合又は離脱する位置に形成されている。イジェクトバー３１が後方にスライドする途中では、カム面３４が第２のシャフト２４に係合して第２のシャフト２４を徐々に持ち上げる。即ち、第２のシャフト２４が突起３４の上面に乗り上がる。またイジェクトバー３１が前方にスライドする途中では、スプリング２５の復元力により第２のシャフト２４がカム面３４にしたがって徐々に下降した後に、カム面３４と第２のシャフト２４との係合が解除される。このように、第２のシャフト２４がカム面３４に従動するカムフォロワーとして働き、第２のシャフト２４とカム面３４とが協働してカム機構を構成している。
【００２４】
次に、図示のカード用コネクタの作用について説明する。
【００２５】
カード１２が所定位置に挿入されると、第２の端部３７がカード１２の後端により押されてレバー３２を支点３５に関し反時計回りに回動させる。このとき、レバー３２の第１の端部３７はイジェクトバー３１を前方に押圧移動させる。この状態では、図２に明示したようにカム面３４が第２のシャフト２４から外れた位置にある。したがって、ヒートシンク２３は、その自重及びスプリング２５による付勢力により、カード１２の上面に当接する。その結果、カード１２の放熱がヒートシンク２３により促進されることになる。
【００２６】
一方、カード１２が所定位置に挿入された状態にあるときにイジェクトバー３１を手指などにより後方に押圧移動させると、第１の端部３６がイジェクトバー３１の後端により押されてレバー３２を支点３５に関し時計回りに回動させる。このとき、レバー３２の第２の端部３７がカード１２を前方に押圧するが、それに先立ち、カム面３４が第２のシャフト２４に対向する位置に移動して第２のシャフト２４を持ち上げるように構成している。第２のシャフト２４が持ち上げられるにしたがい、ヒートシンク２３がカード１２から離間される。その後に、レバー３２の第２の端部３７がカード１２を前方に押圧移動させる。このときには、ヒートシンク２３がカード１２から離間しているので、カード１２の離脱が阻害されることはない。即ち、カード１２を所定位置から離脱させる際には、カム機構の作用により、ヒートシンク２３がカード１２から離間された後にカード１２の離脱が行われる。
【００２７】
なお、保持部材にカム面を備える一方、イジェクト機構にカムフォロワーを備えてもよい。
【００２８】
また図８に示すように、イジェクトバー３１にカム溝４１を設ける一方、アーム２１の対向部分にカム溝４１に挿入係合されたピン４２をカムフォロワーとして設けてもよい。この構造によっても、カム溝４１とピン４２とで上述のカム機構を構成することができる。
【００２９】
なお、アーム２１にカム溝を設ける一方、イジェクトバー３１にそのカム溝に挿入されたピンをカムフォロワーとして設けてもよい。
【産業上の利用可能性】
【００３０】
本発明に係るカード用コネクタは、ＰＯＤモジュール等において使用される個人情報を記録したカードやＩＣカードなどの様々なカード状電子部品の接続に適用できる。
【図面の簡単な説明】
【００３１】
【図１】本発明の一実施例に係るカード用コネクタのカードを接続した状態を示す斜視図である。
【図２】図１の状態のカード用コネクタの拡大側面図である。
【図３】図１の状態のカード用コネクタから幾つかの部品を省略して内部状態を明示した斜視図である。
【図４】本発明の一実施例に係るカード用コネクタのカードを接続していない状態を示す斜視図である。
【図５】図４の状態のカード用コネクタの拡大側面図である。
【図６】図４の状態のカード用コネクタから幾つかの部品を省略して内部状態を明示した斜視図である。
【図７】図１および図４に示すカード用コネクタの分解斜視図である。
【図８】図１および図４に示すカード用コネクタの変形例を説明するための要部のみの斜視図である。
【符号の説明】
【００３２】
１１  ベースプレート
１２  カード
１３  ベースプレートの上面
１４  カードガイド
１５  コネクタ要素
１６  ケーブル
１７  取付耳
１８  貫通孔
２１  アーム
２２  第１のシャフト
２３  ヒートシンク
２４  第２のシャフト
２５  スプリング
２６  第１の貫通孔
２７  第２の貫通孔
２８  貫通孔
３１  イジェクトバー
３２  レバー
３３  カム面
３４  突起
３５  支点
３６  第１の端部
３７  第２の端部
４１  カム溝
４２  ピン
【図１】
2005116564.tif 000003
【図２】
2005116564.tif 000004
【図３】
2005116564.tif 000005
【図４】
2005116564.tif 000006
【図５】
2005116564.tif 000007
【図６】
2005116564.tif 000008
【図７】
2005116564.tif 000009
【図８】
2005116564.tif 000010